(57)【要約】【課題】ペン先を損傷することなく手軽に筆記を休止できる万年筆用のペンスタンドを提供する。【解決手段】万年筆２を保持するホルダ３と、該ホルダ３を支持する支持部４と、該支持部４が取り付けられた台部５とを有する万年筆用のペンスタンド１であって、万年筆２のペン先２１を保護するためにホルダ３はゴムで形成されている。万年筆２を滑り落とすために、ホルダ３の内壁はペン挿入口側が上方となる傾斜面にされている。また、ホルダ３の内側空間Ｓの横断面積はペン挿入口側に向かうに従い大きくなっている。また、ホルダ３として例えば、プレート状のゴムプレートをカールさせたものを用いることもできる。【選択図】図１
2011230519.tif 000002
【特許請求の範囲】
【請求項１】
万年筆を保持するホルダと、該ホルダを支持する支持部と、該支持部が取り付けられた台部とを有する万年筆用のペンスタンドであって、
前記万年筆のペン先を保護するために前記ホルダは柔軟性部材で形成されていることを特徴とする万年筆用のペンスタンド。
【請求項２】
前記万年筆を滑り落とすために、前記ホルダの内壁はペン挿入口側が上方となる傾斜面にされていることを特徴とする請求項１に記載の万年筆用のペンスタンド。
【請求項３】
前記ホルダの内側空間の横断面積はペン挿入口側に向かうに従い大きくなっていることを特徴とする請求項１又は請求項２に記載の万年筆用のペンスタンド。
【請求項４】
前記ホルダはプレート状の柔軟性部材をカールさせたものであることを特徴とする請求項１ないし請求項３のいずれかに記載の万年筆用のペンスタンド。
【請求項５】
万年筆を保持するホルダと、該ホルダを支持する支持部と、該支持部が取り付けられた台部とを有する万年筆用のペンスタンドであって、
前記万年筆のペン先を保護するために前記ホルダの内壁及び／又はペン挿入口に柔軟性部材が用いられていることを特徴とする万年筆用のペンスタンド。
【請求項６】
前記万年筆を滑り落とすために、前記ホルダの内壁はペン挿入口側が上方となる傾斜面にされていることを特徴とする請求項５に記載の万年筆用のペンスタンド。
【請求項７】
前記ホルダの内側空間の横断面積はペン挿入口側に向かうに従い大きくなっていることを特徴とする請求項５又は請求項６に記載の万年筆用のペンスタンド。
【発明の詳細な説明】
【技術分野】
【０００１】
本発明は、万年筆用のペンスタンドに関する。
【背景技術】
【０００２】
従来、筆記具用のペンスタンドとして、図８に示すものが知られている。図に示すペンスタンド１００では、ペース１０１の上面にボール軸受１０２を介してキャップ状のホルダ１０３が取り付けられている（例えば、特許文献１参照）。ホルダ１０３の材質としては、例えば硬質樹脂を適用することができる。このホルダ１０３にはボールペンなどが挿入される。ボールペンの先端は金属又はセラミックのボールが金属製の台座に回転自在に固定された構造をしており、ボールが硬いため仮にペン挿入時にペン先がホルダ１０３に衝突しても通常、問題は生じない。
【先行技術文献】
【特許文献】
【０００３】
【特許文献１】特開２００２−１１９９４号公報（段落０００２、図４）
【発明の概要】
【発明が解決しようとする課題】
【０００４】
しかし、上述した従来の筆記具用のペンスタンド１００は、万年筆用には不向きである。万年筆のペン先は柔軟性を持たせるために金（１４Ｋ、１８Ｋ）で作製されるものが多く、ペン先にはインクが流通する切込みが形成されているため、万年筆をホルダ１０３に挿入する場合、ホルダ１０３の開口部などにペン先が衝突しペン先を損傷させる可能性が高いからである。ペン先はインクの出方などを調整するデリケートな部分であるため、硬質樹脂などに衝突させることは好ましくない。そのため、万年筆使用時に筆記者がペンスタンドを用いることは希であり、短時間筆記を休止する場合でも、クリップ付きのキャップをペン先に被せる必要があり手間がかかった。クリップ付きのキャップを取り付けると、ペン先を保護しつつ万年筆の転がりを防止することができる。特に、赤色のインクを用いて弁理士受験生の答案の採点をする場合には、本を用いて専門書などを読んだり修正液を使用して答案を修正したりすることが多く、筆記を休止するために頻繁にキャップを万年筆本体に被せる必要がある。
本発明は上記事情に鑑みてなされたものであり、ペン先を損傷することなく手軽に筆記を休止できる万年筆用のペンスタンドを提供することを目的とする。
【課題を解決するための手段】
【０００５】
本発明者は、このような課題に対して鋭意研究を重ねた結果、ゴムなどの柔軟性部材を用いてホルダを形成することにより、ペン先を損傷することなく手軽に万年筆による筆記を休止できることを見出し、本発明を完成するに至った。
本発明の万年筆用のペンスタンドは、万年筆を保持するホルダと、該ホルダを支持する支持部と、該支持部が取り付けられた台部とを有する万年筆用のペンスタンドであって、前記万年筆のペン先を保護するために前記ホルダは柔軟性部材で形成されていることを特徴とする。前記万年筆を滑り落とすために、前記ホルダの内壁はペン挿入口側が上方となる傾斜面にされていることが好ましい。また、前記ホルダの内側空間の横断面積はペン挿入口側に向かうに従い大きくなっていることが好ましい。また、前記ホルダとして例えば、プレート状の柔軟性部材をカールさせたものを用いることができる。
【０００６】
本発明の万年筆用のペンスタンドは、万年筆を保持するホルダと、該ホルダを支持する支持部と、該支持部が取り付けられた台部とを有する万年筆用のペンスタンドであって、前記万年筆のペン先を保護するために前記ホルダの内壁及び／又はペン挿入口に柔軟性部材が用いられていることを特徴とする。前記万年筆を滑り落とすために、前記ホルダの内壁はペン挿入口側が上方となる傾斜面にされていることが好ましい。また、前記ホルダの内側空間の横断面積はペン挿入口側に向かうに従い大きくなっていることが好ましい。
【発明の効果】
【０００７】
本発明の万年筆用のペンスタンドでは、ホルダの全部又は万年筆のペン先と接触する可能性が高い部分が柔軟性部材で形成されているので、ペン先を損傷することなく手軽に筆記を休止することが可能である。
【図面の簡単な説明】
【０００８】
【図１】図１は、本発明の万年筆用のペンスタンドの第１実施形態を示す説明図である。
【図２】図２は、万年筆をホルダに保持させている状態を示す説明図である。
【図３】図３は、ホルダの変形例を示す断面図である。図３（ａ）は角筒状、図３（ｂ）は楕円筒状、図３（ｃ）は一部が開口した筒状、図３（ｄ）は半円筒状、図３（ｅ）は凹溝状である。
【図４】図４は、ホルダの変形例を示す断面図である。
【図５】図５は、本発明の万年筆用のペンスタンドの第２実施形態に用いるホルダを示す説明図である。
【図６】図６は、ホルダの素材となる正方形のゴムプレートを示す説明図である。
【図７】図７は、図６のゴムプレートをカールさせてホルダを形成したペンスタンドを示す説明図である。
【図８】図８は、従来の筆記具用のペンホルダを示す説明図である。
【発明を実施するための形態】
【０００９】
以下、本発明を実施するための最良の形態を図面を用いて説明する。
[第１実施形態]
図１は、本発明の万年筆用のペンスタンドの第１実施形態を示している。本実施形態の万年筆用のペンスタンド１は、万年筆２を保持するホルダ３と、該ホルダ３を支持する支持部４と、該支持部４が固定された台部５とを有している。ホルダ３は万年筆２のペン先２１を保護するために柔軟性部材で形成されている。柔軟性部材としては、ゴム、皮、合皮などを用いることができる。ホルダ３の内壁は万年筆２が滑り落ちやすいように表面が滑らかであることが好ましい。また、ポリエチレンテレフタラート（ＰＥＴ）などの硬質樹脂であっても薄いシートであれば変形し易いので柔軟性部材に含まれるものとする。
【００１０】
ホルダ３は、円筒状でありペン挿入口側に向かうに従い拡径されている。そのため、ホルダ３の内側空間Ｓは円錐台状であり、その横断面積はペン挿入口側に向かうに従い大きくなっている。ホルダ３はペン挿入口側がペン先保持部側より上方にくるように傾けて設けられ、ホルダ３の内壁はペン挿入口側が上方となる傾斜面にされている。そのため、ホルダ３に万年筆２をある程度挿入してからホルダ内壁上に万年筆２を載せれば、万年筆２は重力により斜面を滑り落ち、所定の位置（図２参照）で万年筆２がホルダ３に保持される。このようにペン挿入口側が拡径されたホルダ３に万年筆２をある程度挿入すればよいので、万年筆２を奥深くまでホルダ３に挿入する必要がなく、万年筆挿入時にあまり気を配る必要がなく手軽に万年筆２をペンスタンド１に保持させることができる。また、ホルダ３の内壁が柔軟性部材であるので万年筆２が滑り落ちているときにペン先が損傷することがない。また、ホルダ３は先細り形状であるので、万年筆２が滑り落ちるときに万年筆２をガイドする機能を有する。
【００１１】
支持部４は図１では円柱状であるが、角柱状、円筒状、角筒状であってもよく、特に限定されない。要するに支持部４は、台部５の上方でホルダ３を保持できるものであればよい。また、ホルダ３を斜めに保持するために、支持部４の先端は斜面にされている。支持部４の材質としては、木材、樹脂、金属などを適用することができる。また、支持部４は可撓性のある材質であってもよい。台部５の材質も特に限定されない。例えば、支持部４及び台部５の材質を木材とする場合、木工用ボンドを用いて、ホルダ３と支持部４、及び支持部４と台部５を連結することができる。
【００１２】
図２は、ホルダ３に万年筆２を挿入して保持させた状態を示している。図に示すように、万年筆２の胴軸の先端部Ａがホルダ３の内壁と接触し、万年筆２の自重により内壁が押圧された状態で万年筆２はホルダ３に保持されている。ホルダ３の先端は開口させずにコーン状にしてもよい。胴軸の先端部Ａとホルダ３の内壁とが接触するのではなく、ペン先２１の幅広部Ｂとホルダ３の内壁とが接触するようにしてもよい。要するに、万年筆２を保持することができればよい。
【００１３】
ホルダ３の形状は図１に示した先細り円筒状に限定されることはない。万年筆２がホルダ３に保持される位置まで滑り落ちることができる形状であればよい。例えば、角筒状（図３（ａ）参照）、楕円筒状（図３（ｂ）参照）、一部が開口した筒状（図３（ｃ）参照）、半円筒状（図３（ｄ）参照）、凹溝状（図３（ｅ）参照）であってもよい。勿論、万年筆２をホルダ３に挿入し易くし、かつ万年筆２をホルダ３に保持させるために、ホルダ３の内側空間Ｓは、先細り形状にすることが好ましい。ただし、図４に示すようにホルダ３の先端側に万年筆係止部３ａを形成すれば、先細り形状にしなくてもよい。また、図３（ｄ）に示すように、ホルダ３の断面を円弧状に湾曲させた形状にした方が、万年筆２が滑り落ちるときの方向性が安定し易く、スムーズに万年筆２を滑り落とすことができる。なお、ホルダ３は、図３に示す筒体や溝体を組み合わせた形態であってもよい。
【００１４】
上述した第１実施形態の万年筆用のペンスタンド１では、ホルダ３が柔軟性部材で形成されているので、万年筆２のホルダ３への挿入時に手元がくるって万年筆２のペン先がホルダ３と接触してもペン先が損傷する可能性が少なく、安心して手軽に筆記を休止することができる。また、支持部４及び台部５をバルサなどの軽量の材料で形成すれば、万年筆２が比較的強くホルダ３に当接してもペンホルダ自体が机上をスライドするので、ペン先が損傷することがない。
【００１５】
[第２実施形態]
図５は、本発明の万年筆用のペンスタンドの第２実施形態のホルダの形態を示している。本実施形態のホルダ３はラッパ形状の本体部３１の内壁及びペン挿入口に柔軟性部材３２が設けられている。柔軟性部材としては例えば、ゴムシートが用いられる。
この第２実施形態の万年筆用のペンスタンドでは、第１実施形態と同様の効果を奏する。さらに、この第２実施形態の万年筆用のペンスタンドでは、ホルダ３の本体部３１をプラスチックで成形すれば、木目模様や大理石模様などのデザインを施すことができ、美感を向上させることができるので、高級万年筆用のペンスタンドに好適であり、室内のインテリアとしての機能も高まる。
【００１６】
以上、本発明を説明してきたが、本発明は上述した実施形態にのみ限定されるものではなく、その本質を逸脱しない範囲で、種々の変形が可能であることは言うまでもない。
【００１７】
例えば、上述した第１実施形態では、先細り円筒形状の柔軟性部材でホルダ３を形成した例について説明したが、ホルダ３の形状は特に限定されない。図６に示す正方形のゴムプレートを対角線Ｃを中心にカールさせ、図７に示すように、テープ６で固定したものであってもよい。テープ止めでなく、接着剤やリベットなどで固定したものであってもよい。図７のペンスタンド１では、万年筆挿入部の開口面積が広いので、万年筆２を容易にホルダ３に挿入することができる。また、市場で容易に入手可能なゴムプレートをカールさせるだけでよいので、廉価かつ簡易にホルダ３を作製することができる。また、美感も優れている。ゴムプレートはゴムロールを裁断して得てもよい。
【産業上の利用可能性】
【００１８】
本発明は、万年筆用のペンスタンドに好適に用いることができる。万年筆以外の筆記具をホルダに挿入して保持することもできる。書物で調べ物をしながら原稿を作成するときや論文試験の答案の採点をするときに特に有効である。また、オフィスや室内のインテリアとしても用いることができる。
【符号の説明】
【００１９】
１  ペンスタンド
２  万年筆
２１  ペン先
３  ホルダ
３ａ  万年筆係止部
３１  本体部
３２  柔軟性部材
４  支持部
５  台部
６  テープ
１００  ペンスタンド
１０１  ベース
１０２  ボール軸受
１０３  ホルダ
Ａ  先端部
Ｂ  幅広部
Ｃ  対角線
Ｓ  内側空間
【図１】
2011230519.tif 000003
【図２】
2011230519.tif 000004
【図３】
2011230519.tif 000005
【図４】
2011230519.tif 000006
【図５】
2011230519.tif 000007
【図６】
2011230519.tif 000008
【図７】
2011230519.tif 000009
【図８】
2011230519.tif 000010
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
万年筆を保持するホルダと、該ホルダを支持する支持部と、該支持部が取り付けられた台部とを有する万年筆用のペンスタンドであって、
前記万年筆のペン先を保護するために前記ホルダは柔軟性部材で形成されており、
前記ホルダはプレート状の柔軟性部材をカールさせたものであることを特徴とする万年筆用のペンスタンド。